(57)【要約】      （修正有）【課題】通信チャンネル変更等で映像の表示が途切れた場合であってもユーザに違和感を生じさせないようにして、ユーザの使い勝手を向上させることのできる無線通信装置、ワイヤレスＡＶシステム等を提供する。【解決手段】ＴＶ本体３は、ワイヤレスセンタ２のＳＳ送信ユニット３６から送信されたＭＰＥＧ２ストリームやコマンド伝送データを受信し、受信したＭＰＥＧ２ストリーム等をデコードするＳＳ受信ユニット６１と、映像及び音声信号を出力するＴＶ表示部６３と、装置全体の制御を行うＴＶマイコン６４と、受信電波の電界強度、エラー率に基づく再送要求によりワイヤレスセンタ２とＴＶ本体３間の通信状態を検出する第２のＳＳ−ＣＰＵ８４とを備え、ＴＶマイコン６４は、通信状態に基づいて、映像及び音声データの中断、チャンネル変更中、接続中、受信感度情報の各メッセージをＴＶ表示部６３にＯＳＤ表示する。【選択図】図１
2004320762.tif 000002
【特許請求の範囲】
【請求項１】
映像及び音声データ、又は通信チャネル変更情報を含む制御コマンドを送受信する通信手段と、
通信状態を検出する通信状態検出手段と、
前記通信状態検出手段により検出された通信状態に基づいて、少なくとも前記映像及び音声データの伝送状況を報知する報知手段と
を備えることを特徴とする無線通信装置。
【請求項２】
さらに、通信が途絶えた時間を計測し、該通信が途絶えてから所定の設定時間が経過するまでは通信チャンネルを保持することを特徴とする請求項１記載の無線通信装置。
【請求項３】
前記通信手段は、ＳＳ無線方式により前記映像及び音声データ、又は前記制御コマンドを伝送することを特徴とする請求項１又は２に記載の無線通信装置。
【請求項４】
前記通信手段は、ＭＰＥＧ２符号化方式に準拠したＭＰＥＧストリームにより前記映像及び音声データを伝送することを特徴とする請求項１乃至３のいずれか一項に記載の無線通信装置。
【請求項５】
前記通信手段は、小電力近距離双方向無線通信であることを特徴とする請求項１乃至４のいずれか一項に記載の無線通信装置。
【請求項６】
前記通信手段は、Bluetooth、ＵＷＢ、又は無線ＬＡＮであることを特徴とする請求項１乃至５のいずれか一項に記載の無線通信装置。
【請求項７】
前記通信状態検出手段は、受信電波の電界強度、又はエラー率、又はエラー率に基づく再送要求回数により通信状態を検出することを特徴とする請求項１乃至６のいずれか一項に記載の無線通信装置。
【請求項８】
前記通信状態検出手段は、通信リンクが確立された無線通信装置間の通信状態を検出することを特徴とする請求項１乃至７のいずれか一項に記載の無線通信装置。
【請求項９】
前記報知手段は、前記映像及び音声データが途絶えていること、通信チャンネル変更中であること、接続中であること、通信圏外を含む受信感度情報のうち、少なくともいずれか１つ以上を報知することを特徴とする請求項１乃至８のいずれか一項に記載の無線通信装置。
【請求項１０】
前記報知手段は、表示手段によるメッセージ表示、又は、音声出力手段によるメッセージ発音であることを特徴とする請求項１乃至９のいずれか一項に記載の無線通信装置。
【請求項１１】
複数の無線通信装置を無線ネットワークを通じて接続するワイヤレスＡＶシステムであって、
前記無線通信装置は、請求項１乃至１０のいずれか一項に記載の無線通信装置であることを特徴とするワイヤレスＡＶシステム。
【請求項１２】
前記無線通信装置は、表示装置と、放送受信用チューナを有し、前記表示装置に映像及び音声データを伝送するセンタ装置とからなるテレビジョン受信機であることを特徴とする請求項１１記載のワイヤレスＡＶシステム。
【請求項１３】
無線ネットワークを構成する複数の無線通信装置において、映像及び音声データ、又は通信チャネル変更情報を含む制御コマンドを送受信し、通信状態を検出し、前記検出された通信状態に基づいて、少なくとも前記映像及び音声データの伝送状況を報知する制御処理をコンピュータに実行させるためのプログラム。
【請求項１４】
無線ネットワークを構成する複数の無線通信装置において、映像及び音声データ、又は通信チャネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムを記録したことを特徴とするコンピュータ読み取り可能な記録媒体。
【発明の詳細な説明】
【技術分野】
【０００１】
本発明は、無線通信装置、ワイヤレスＡＶシステム並びに動作制御プログラム及びそのプログラムを記録した記録媒体に関する。
【背景技術】
【０００２】
近年、インターネットの爆発的な普及に伴い、オフィス、家庭等で、ＬＡＮ（Local Area Network）を構築するケースが増えてきている。デジタル無線通信技術の進歩も手伝い、ケーブル配線の煩わしさから、無線でＬＡＮを構築する、いわゆるワイヤレスＬＡＮのニーズも非常に高まっており、さらに、ノート型パソコンに代表される移動端末での移動環境下における、使用が可能であることも手伝い、将来的には、かなりの数の普及台数が期待されている。このワイヤレスＬＡＮの代表的な技術としては、既に、ＩＥＥＥ（Institute of Electrical and Electronics Engineers）において、標準化されている、ＩＥＥＥ８０２．１１がある。この標準化された技術は、ＯＳＩモデルにおける、物理層から、データリンクの下位層であるＭＡＣ（Media Access Control：媒体アクセス制御）層までを規定しており、有線のＬＡＮ伝送路である、イーサーネットと置きかえることができ、さらに、ワイヤレスであるが故の付加機能として、ローミング（roaming）機能も提供できる仕様になっている。
【０００３】
また、現在、全国で視聴されているアナログ地上放送に代わる新しい地上デジタル放送の準備が進んでいる。この地上デジタル放送は、２００３年に関東、近畿、東海の３大都市圏で開始され、２００６年には全国へ拡大させる計画である。これにともない、現行のアナログ放送も２０１１年には廃止される予定である。
【０００４】
ＩＳＤＢ（Integrated Services Digital Broadcasting）は、映像、音声、データなどのあらゆる情報をデジタル・データとして扱う次世代の統合デジタル放送のコンセプトである。ＩＳＤＢの具体的なサービスとして、デジタル・テレビジョン放送、デジタル音声放送、ファクシミリ放送、マルチメディア放送などが研究されている。ＩＳＤＢの伝送路としては、衛星放送波、地上放送波、同軸ケーブルや光ファイバの有線伝送路の利用が考えられている。
【０００５】
この地上デジタル放送の技術規格ＩＳＤＢ−Ｔ（Terrestrial）では、変調方式に多数の搬送波（キャリア）を使うＯＦＤＭ（Orthogonal Frequency Division Multiplexing）が採用され、ビルによる反射など複数の伝播経路（マルチパス）によるゴースト妨害も抑制が可能となる。また、ＩＳＤＢ−Ｔではキャリア間隔を規定する伝送モードやキャリア毎の変調方式、有効シンボル長毎に設ける時間軸方向のガードインターバルがそれぞれ複数規定されており、極めて多数の信号形式が規格の上では許容されている。実際にはこれらの中から、固定受信や移動受信などのサービスに応じて最適な形式が選択されることになる。
【０００６】
また、ＩＳＤＢ−Ｔでは１つのチャンネル（帯域約５．６ＭＨｚ）を、１３セグメント（１セグメント＝約４３０ｋＨｚ）に分割し、これを単位に変調方式を変えることになる。これによって、１つのチャンネルで音声放送とハイビジョン放送、標準固定放送と移動体放送といったように、放送局は任意に信号構成を決定することができる。
【０００７】
さらに、ＩＳＤＢ−Ｔは時間軸方向のインターリーブを取り入れており、利用する電波も移動体への伝送に適していることから、車載テレビなどの移動体受信機やＰＤＡ（Personal Digital Assistants）や携帯電話などの携帯端末でも安定した受信が可能となることが大きな特徴の一つとして挙げられる。今後、このような移動受信を想定したサービスも大いに期待されている。
【０００８】
ところで、無線ネットワークにおいて、送信機、受信機がある特定の周波数（通信チャンネル）通信している場合、同じ通信チャンネルを別の送信機、受信機のペアが使用する場合、データ伝送の帯域が減少するため、後から通信チャンネルを使用する機器は、空いている通信チャンネルに自動的に変更する必要がある。
【０００９】
通信チャンネルを変更する無線通信機器として、例えば特許文献１では、無線通信部が、２．４ＧＨｚ帯のフロントエンド回路と５ＧＨｚ帯のフロントエンド回路を設けて、２．４ＧＨｚ帯と５ＧＨｚ帯の２つの周波数帯に対応したものとすることで、無線ＬＡＮシステムで、同一エリア内で同時に設定可能なチャンネル数を大幅に増加し、妨害電波によって通信リンクが途切れてしまうおそれを低減しようとする。
【特許文献１】特開２００２−３３６７６号公報（図１）
【発明の開示】
【発明が解決しようとする課題】
【００１０】
しかしながら、このような従来の無線通信機器にあっては、通信チャンネルを切り替える際は、通信状態が途絶えるため、映像が表示されず、ユーザは映像が途絶えたのか、通信端末が通信チャンネルを変更したのか分らないという問題があった。
【００１１】
本発明は、このような課題に鑑みてなされたものであって、通信チャンネル変更等で映像の表示が途切れた場合であってもユーザに違和感を生じさせないようにして、ユーザの使い勝手を向上させることのできる無線通信装置、ワイヤレスＡＶシステム並びに動作制御プログラム及びそのプログラムを記録した記録媒体を提供することを目的とする。
【００１２】
また、本発明は、ネットワーク全体でできるだけ最適な通信状態を維持することができる無線通信装置、ワイヤレスＡＶシステム並びに動作制御プログラム及びそのプログラムを記録した記録媒体を提供することを目的とする。
【課題を解決するための手段】
【００１３】
本発明の無線通信装置は、映像及び音声データ、又は通信チャネル変更情報を含む制御コマンドを送受信する通信手段と、通信状態を検出する通信状態検出手段と、前記通信状態検出手段により検出された通信状態に基づいて、少なくとも前記映像及び音声データの伝送状況を報知する報知手段とを備えることを特徴としている。
【００１４】
さらに、通信が途絶えた時間を計測し、該通信が途絶えてから所定の設定時間が経過するまでは通信チャンネルを保持するものであってもよい。
【００１５】
前記通信手段は、ＳＳ（Spread Spectrum）無線方式により前記映像及び音声データ、又は前記制御コマンドを伝送するものであってもよい。
【００１６】
前記通信手段は、ＭＰＥＧ２符号化方式に準拠したＭＰＥＧストリームにより前記映像及び音声データを伝送するものであってもよい。
【００１７】
前記通信手段は、小電力近距離双方向無線通信であってもよい。
【００１８】
また、より好ましい具体的な態様として、前記通信手段は、Bluetooth、ＵＷＢ、又は無線ＬＡＮである。
【００１９】
前記通信状態検出手段は、受信電波の電界強度、又はエラー率、又はエラー率に基づく再送要求回数により通信状態を検出することがより好ましい。
【００２０】
前記通信状態検出手段は、通信リンクが確立された無線通信装置間の通信状態を検出することがより好ましい。
【００２１】
また、前記報知手段は、前記映像及び音声データが途絶えていること、通信チャンネル変更中であること、接続中であること、通信圏外を含む受信感度情報のうち、少なくともいずれか１つ以上を報知するものであってもよい。
【００２２】
前記報知手段は、表示手段によるメッセージ表示、又は、音声出力手段によるメッセージ発音であってもよい。
【００２３】
本発明のワイヤレスＡＶシステムは、複数の無線通信装置を無線ネットワークを通じて接続するワイヤレスＡＶシステムであって、前記無線通信装置は、請求項１乃至１０のいずれか一項に記載の無線通信装置であることを特徴としている。
【００２４】
また、より好ましい具体的な態様として、前記無線通信装置は、表示装置と、放送受信用チューナを有し、前記表示装置に映像及び音声データを伝送するセンタ装置とからなるテレビジョン受信機である。
【００２５】
また、本発明は、無線ネットワークを構成する複数の無線通信装置において、映像及び音声データ、又は通信チャネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムである。
【００２６】
さらに、本発明は、無線ネットワークを構成する複数の無線通信装置において、映像及び音声データ、又は通信チャネル変更情報を含む制御コマンドを送受信し、通信状態を検出し、前記検出された通信状態に基づいて、少なくとも前記映像及び音声データの伝送状況を報知する制御処理をコンピュータに実行させるためのプログラムを記録したことを特徴とするコンピュータ読み取り可能な記録媒体である。
【発明の効果】
【００２７】
以上、詳述したように、本発明によれば、通信チャンネル変更等で映像の表示が途切れた場合であってもユーザに違和感を生じさせないようにすることができ、ユーザの使い勝手を向上させることができる。
【００２８】
また、チャンネルの頻繁な切り替えを防止して、ネットワーク全体でできるだけ最適な通信状態を維持することができる。
【発明を実施するための最良の形態】
【００２９】
以下、添付図面を参照しながら本発明の好適な無線通信装置及びワイヤレスＡＶシステムの実施の形態について詳細に説明する。
【００３０】
図１は、本発明の実施の形態の無線通信装置及びワイヤレスＡＶシステムの構成を示すブロック図である。本実施の形態の無線通信装置及びワイヤレスＡＶシステムとして、ディスプレイ分離型のワイヤレスＴＶ受信機に適用した例である。
【００３１】
図１において、ワイヤレスＡＶシステム１は、ベース機器としてのワイヤレスセンタユニット（以下、ワイヤレスセンタという）２と、ポータブル端末としてのテレビジョン（ＴＶ）本体ユニット（以下、ＴＶ本体という）３とから構成され、ワイヤレスセンタ２（無線通信装置，センタ装置）とＴＶ本体３（無線通信装置，表示装置）とはペアとなって無線伝送ネットワークを構成する。
【００３２】
ワイヤレスセンタ２は、ＢＳ端子１１，Ｕ／ＶＨＦアンテナ端子１２，ダイバーシティ端子１３の各アンテナ端子と、デジタルＶＴＲ，ＤＶＤプレーヤなどの機器を接続するＳ端子付きビデオ１入力端子１４，デコーダ入力／ビデオ２入力端子１５，モニタ／ＢＳ出力／ビデオ３入力端子１６、ＡＣ電源部１７及びＣａｒ−ＤＣ電源部１８を備える。
【００３３】
ＴＶ本体３は、デジタルＶＴＲ，ＤＶＤ（Digital Versatile Disc）プレーヤなどの機器を接続するＴＶ出力／ビデオ４入力端子２１、ＡＣ電源部２２及びＣａｒ−ＤＣ電源部２３を備える。
【００３４】
ＴＶ本体３は、ワイヤレスセンタ２と分離可能でバッテリ内蔵により携帯又は可搬できる薄型表示装置であり、例えば液晶テレビジョン（以下、液晶テレビという）、無機ＥＬ／有機ＥＬディスプレイ、プラズマディスプレイなどの種々の表示装置を含む広い概念であり、表示機構により限定されるものではない。また、本明細書において、ＴＶ本体３は、主として表示機能や音響機能などを有し、一方、ワイヤレスセンタ２は、主としてチューナ部やＴＶ本体３を制御する制御機能などを収容する。本実施の形態によるＴＶ本体３は、薄型表示装置として液晶テレビを例にして説明する。
【００３５】
ワイヤレスセンタ２とＴＶ本体３間は、ＩＥＥＥ８０２．１１規格に準拠するＳＳ（Spread Spectrum：スペクトラム拡散）無線方式によりデータが送受信される。最近、周波数帯として５ＧＨｚ帯が開放され、２．４ＧＨｚ帯の代わりに５ＧＨｚ帯を用いる態様でもよい。ワイヤレスセンタ２からＴＶ本体３へのデータ伝送は、ＭＰＥＧ（Moving Picture Expert Group）２の映像圧縮フォーマットを用いて、動画像伝送やDVD-Video、デジタル放送を１０Ｍｂｐｓを超える通信回線で伝送する。また、ワイヤレスセンタ２とＴＶ本体３間のコマンド伝送は、ＳＳ無線方式により行う。
【００３６】
ＭＰＥＧビデオやＭＰＥＧオーディオの符号化されたストリーム（ビット列）、さらに他の符号化ストリームも含めて実際のアプリケーションに適用する場合には、同期を含めて符号化ストリームを多重化して統合し１本化するとともに、そのストリームを蓄積メディアやネットワーク等が持つ、固有の物理フォーマットやプロトコルに適合したデータ形式にする必要がある。
【００３７】
ＭＰＥＧ２システムには、ＭＰＥＧ１と同様に１つのプログラムを構成するプログラム・ストリーム（ＭＰＥＧ２−ＰＳ，ＰＳ：Program Stream）と、複数のプログラムを構成できるトランスポート・ストリーム（ＭＰＥＧ２−ＴＳ，ＴＳ：Transport Stream）とがある。
【００３８】
ＭＰＥＧストリームは、１ビットのフラグも多数あるがヘッダなどの各単位ごとにバイト整列されたバイト・ストリームである。ＭＰＥＧシステム全体に共通した構造として固定長でないデータ部分には、長さを示す情報が先行して置かれ、不要な場合はその部分をスキップしたり、次のデータ群の先頭を確認して信頼性の高い分離処理ができるデータ構造となっている。
【００３９】
ＭＰＥＧ２符号化方式に準拠し、圧縮された映像、音声信号を受信する装置は、復号化側において映像、音声データのオーバーフロー、アンダーフローの防止するために、符号化側での映像、音声サンプリング周波数と、復号化側での映像、音声サンプリング周波数またはＳＴＣ（System Time Clock）を一致させる必要がある。
【００４０】
そのため、復号化装置ではＭＰＥＧ２システム規格（ＩＳＯ／ＩＥＣ規格１３８１８−１）で規定されたＰＣＲ（Program Clock Reference：プログラム時刻基準参照値）またはＳＣＲ（System Clock Reference：システム時刻基準参照値）を用いることにより、符号化側の映像、音声サンプリング周波数と復号化側の映像、音声サンプリング周波数を一致させている。
【００４１】
図２は、上記ワイヤレスＡＶシステムのワイヤレスセンタ２の構成を示すブロック図である。
【００４２】
図２において、ワイヤレスセンタ２は、ＢＳ端子１１に接続され選局信号によりＢＳ放送を受信・選局するＢＳチューナ３１と、Ｕ／ＶＨＦアンテナ端子１２に接続され選局信号によりＵ／ＶＨＦ放送を受信・選局するＵ／ＶＨＦチューナ３２と、ＢＳチューナ３１又はＵ／ＶＨＦチューナ３２で受信・選局された映像・音声（ＡＶ）信号を復調する映像・音声復調部３３と、音声切換信号により受信した音声とＥＰＧ（Electrical Program Guide：電子番組ガイド）などの番組に関する情報とを切換える音声切換部３４と、ソース選択信号により受信した映像・音声情報、番組に関する情報、ビデオ１入力端子１４、デコーダ入力／ビデオ２入力端子１５、モニタ／ＢＳ出力／ビデオ３入力端子１６からの外部入力情報を選択する第１のセレクタ３５と、ＴＶコマンドを送受信して第１のセレクタ３５により選択されたデータをＭＰＥＧ２の映像圧縮フォーマットに変換し、ＳＳ無線方式によりＴＶ本体３に送信するＳＳ送信ユニット３６（通信手段）と、選局信号４１，音声切換信号４２，ソース選択信号４３等を送信するとともに、ＴＶコマンド４４を送受信して装置全体の制御を行うワイヤレスセンタマイクロコンピュータ（以下、マイコンという）３７と、ワイヤレスセンタマイコン３７の制御プログラム、通信制御データ、さらに通信チャンネル変更プログラム等の種々のデータを記憶する電気的に書換可能な不揮発性メモリであるＥＥＰＲＯＭ（electrically erasable programmable ROM）３８とを備えて構成される。
【００４３】
ワイヤレスセンタ２は、放送受信用チューナを複数（ここでは２台）備え、複数のＢＳチューナ３１，Ｕ／ＶＨＦチューナのうち少なくとも１つは地上デジタル放送受信可能なチューナであってもよい。
【００４４】
ＳＳ送信ユニット３６は、第１のセレクタ３５により選択されたデータをデジタル信号に変換するＡ／Ｄ変換部５１、データをＭＰＥＧ２の映像圧縮フォーマットに変換するＭＰＥＧ２エンコーダ５２、送信データをＳＳ無線方式により送信するＳＳ無線機及び無線制御部からなるＳＳ無線送信エンジン５３、及びＳＳ送信ユニット各部を制御するとともに、電波状態を検出する第１のＳＳ−ＣＰＵ５４を備えて構成される。
【００４５】
ＳＳ無線送信エンジン５３は、ＴＶ本体３のＳＳ受信ユニット６１（図３で後述する）に、ＭＰＥＧ２ストリームやコマンド等を送信する送信機能と、ＳＳ受信ユニット６１からコマンド等を受信する受信機能とを備える。
【００４６】
ＥＥＰＲＯＭ３８に書き込むプログラムを変えることによってワイヤレスセンタ２及びＴＶ本体３における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００４７】
図３は、上記ワイヤレスＡＶシステムのＴＶ本体３の構成を示すブロック図である。
【００４８】
図３において、ＴＶ本体３は、ＴＶコマンドを送受信してワイヤレスセンタ２のＳＳ送信ユニット３６から送信されたＭＰＥＧ２ストリームやコマンド伝送データを受信するとともに、受信したＭＰＥＧ２ストリームなどを元データにデコード（復元）するＳＳ受信ユニット６１（通信手段）と、ＳＳ受信ユニット６１により復元したデータとＴＶ出力／ビデオ４入力端子２１を介して外部から入力されるＡＶ信号とを選択する第２のセレクタ６２と、映像信号を表示し音声信号を出力するＬＣＤ等からなるＴＶ表示部６３（報知手段の一部）と、ＴＶコマンド７１を送受信するとともに、ソース選択信号７２、ＯＳＤ（オン・スクリーン・ディスプレイ）７３等を送信して装置全体の制御を行うＴＶマイコン６４（報知手段の一部）と、ＴＶマイコン６４の制御プログラム、通信制御データ、さらに通信チャンネル変更プログラム等の種々のデータを記憶する電気的に書換可能な不揮発性メモリであるＥＥＰＲＯＭ６５と、図示しないリモートコントロール装置（以下、リモコン装置という）からの制御コマンドを受光するリモコン受光部６６と、バッテリ６７と、バッテリ６７の充放電を制御するバッテリチャージャマイコン６８とを備えて構成される。
【００４９】
ＳＳ受信ユニット６１は、ＳＳ無線方式により送信されたデータを受信するＳＳ無線機及び無線制御部からなるＳＳ無線受信エンジン８１、受信したＭＰＥＧ２ストリームをデコードするＭＰＥＧ２デコーダ８２、デコードされたデータをアナログ信号に変換するＤ／Ａ変換部８３、及びＳＳ受信ユニット各部を制御するとともに、電波状態を検出する第２のＳＳ−ＣＰＵ８４（通信状態検出手段）を備えて構成される。
【００５０】
ＳＳ無線受信エンジン８１は、ワイヤレスセンタ２のＳＳ送信ユニット３６からのＭＰＥＧ２ストリームやコマンド等を受信する受信機能と、ＳＳ受信ユニット６１からコマンド等を送信する送信機能とを備える。
【００５１】
特に、第２のＳＳ−ＣＰＵ８４は、受信電波の電界強度、エラー率に基づく再送要求によりワイヤレスセンタ２とＴＶ本体３間の通信状態（電波の強弱、通信路の妨害）を検出する電波状態検出手段としての機能を備える。検出された電波状態を示す情報は、ＴＶコマンド７１としてＴＶマイコン６４に送られる。本実施の形態では、ＴＶ本体３の第２のＳＳ−ＣＰＵ８４が上記電波状態検出機能を備える構成を示したが、ワイヤレスセンタ２の第１のＳＳ−ＣＰＵ５４が同様の機能を備え、検出した電波状態を示す情報をワイヤレスセンタ２からＴＶ本体３にコマンド伝送する態様でもよい。あるいは、第１のＳＳ−ＣＰＵ５４及び第２のＳＳ−ＣＰＵ８４双方が電波状態検出機能を備える構成でもよい。さらに、上記電波状態検出機能をＴＶマイコン６４又はワイヤレスセンタマイコン３７が行う態様でもよい。
【００５２】
ＴＶマイコン６４は、装置全体の制御を行うとともに、検出された通信状態に基づいて、映像及び音声データが途絶えていること、通信チャンネル変更中であること、接続中であること、通信圏外を含む受信感度情報の各メッセージを知らせる報知手段としての機能を有する。
【００５３】
また、ＴＶマイコン６４は、通信が途絶えた時間を計測し、該通信が途絶えてから所定の設定時間が経過するまでは通信チャンネルを保持する通信チャンネル変更制御を行う。通信チャンネル変更制御の具体例については図４乃至図９により後述する。また、ＴＶマイコン６４は、内部にＯＳＤ発生機能部を有し、チャンネル、時刻、音量などの情報をテレビ等の画面上に表示する。ＴＶ等の映像装置、テレビ会議システム等の電子機器では、チャンネル、時刻、音量などの情報をテレビ画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素がテレビ放送などの原画像の上に重畳される。また、ＴＶ出力／ビデオ４入力端子２１に図示しないＤＶＤ等の画像再生装置を接続すれば、表示画面上に再生画像に重畳してＯＳＤ表示が可能である。
【００５４】
また、図示は省略するが、ＴＶ本体３は、スピーカ、キー入力部、カード型外部拡張記憶媒体を挿脱するためのスロット等を備え、カード型外部拡張記憶媒体を該スロットに装着してデータを直接読み取る構成としてもよい。カード型外部拡張記憶媒体は、例えば電源バックアップにより書き込まれた情報を保持するＳＲＡＭ（Static RAM）カードや電源バックアップが不要なフラッシュメモリ等からなるコンパクトフラッシュ（登録商標）（ＣＦ）、スマートメディア、メモリスティク、さらにはコンパクトフラッシュ（登録商標）と同程度の大きさ又はＰＣカードTypeIIに装着可能な超小型ハードディスクドライブ（ＨＤＤ）等である。
【００５５】
リモコン受光部６６は、ＩＲ（Infrared Rays：赤外線）を使用する光通信ポート部であり、ＴＶ本体３又はワイヤレスセンタ２に対して各種操作を行うリモコン装置からの光信号を受光する。具体的には、赤外線を利用してデータを伝送するための規格、ＩｒＤＡ（Infrared Data Association），ＡＳＫ等に準拠して光通信を行うためのＩ／Ｏポート、又は電波による無線通信ポートである。
【００５６】
バッテリ６７は、ＴＶ本体３各部に所定の電源を供給する。バッテリチャージャマイコン６８は、バッテリ６７が充電可能状態になったとき、例えばＴＶ本体３がワイヤレスセンタ２やその他のクレードル等に装着されたことを検知し、バッテリ６７の充電媒体に対し電力供給端子（いずれも図示略）を介して充放電の制御を行う。バッテリチャージャマイコン６８は、具体的にはバッテリパックの放電電流を積算し、バッテリパックの残存容量が所定値以下になったと判断したときに充電を開始するとともに、充電時にはバッテリパックへの充電電流を積算しバッテリパックが満充電状態になったと判断したときに充電を停止させる。充電されたバッテリ６７は、ＴＶ本体３が商用電源から切り離された場合に携帯ＴＶの主電源となり、本体各部に電力を供給する。
【００５７】
以下、上述のように構成されたワイヤレスＡＶシステムの動作を説明する。
【００５８】
図４乃至図７は、ワイヤレスＡＶシステムの通信チャンネル変更方法を説明するための状態遷移を示す図であり、図４は（１）起動時の遷移を、図５は（２）正常視聴中（受信感度良好）からの遷移を、図６は（３）受信感度劣化からの遷移を、図７は（４）圏外からの遷移をそれぞれ示す。本通信チャンネル変更制御は、ＴＶ本体３のＴＶマイコン６４により実行される。図中、符号は説明のための参照番号を示している。
（１）起動時の遷移
ＴＶ本体３の電源がＯＮされると（番号１０１）、ＴＶ表示部６３にＯＳＤ出力７３により“接続中”を表示し（番号１０２）、起動待ちとなる（番号１０３）。この“接続中”を表示は、ＲＣ「オンタイマー」「オフタイマー」入力時のみ表示される。また、“時計が設定されていません”表示は、起動時には表示されない。
【００５９】
ＴＶ本体３が起動すると、リモコン装置からの制御コマンドを受光して選局が行われる（番号１０４）。この選局動作を詳細に説明すると、図３に示すようにリモコン装置からの制御コマンドを受光したＴＶマイコン６４がその選局に関する制御コマンドをＴＶコマンド送受信信号７１としてＳＳ受信ユニット６１に送信し、ＴＶ本体３のＳＳ受信ユニット６１が、ＳＳ無線方式により図２に示すワイヤレスセンタ２のＳＳ送信ユニット３６に送信する。ＳＳ送信ユニット３６は、受信した選局に関する制御コマンドをＴＶコマンド送受信信号４４としてワイヤレスセンタマイコン３７に送信する。ワイヤレスセンタマイコン３７は、この制御コマンドを受けてＢＳチューナ３１又はＵ／ＶＨＦチューナ３２に選局信号４１を送信し、該当するチューナ３１，３２によって選局が行われる。このように、ワイヤレスセンタ２とＴＶ本体３間は、基本的にはワイヤレスセンタ２からＴＶ本体３にＭＰＥＧ２ストリームとしてＳＳ無線方式によりデータが送られるが、コマンド伝送についてはワイヤレスセンタ２とＴＶ本体３とによりコマンドデータが送受信される。上記は、選局についてのコマンド伝送の例であるが音声やソース選択についても同様のコマンド伝送が行われる。
【００６０】
図４の（１）起動時の遷移の説明に戻って、ＴＶマイコン６４は、第２のＳＳ−ＣＰＵ８４により検出されたワイヤレスセンタ２とＴＶ本体３間の通信状態（電波の強弱、通信路の妨害）の情報を基に受信感度が良好か否かを判別する（番号１０５）。受信感度が良好であればミュートを解除し（番号１０６）、“接続中”を消去し（番号１０７）、図５の（２）正常視聴中（受信感度良好）の遷移状態に移行する（番号１０８）。このミュートは、信号接続切換え時の映像・音声のノイズを消すための無映像／無音処理である。
【００６１】
これにより、ＴＶ本体３の電源ＯＮ後、選局が完了するまではＴＶ表示部６３にＯＳＤ出力７３により“接続中”が表示されるが、受信感度が良好であるため直ぐに“接続中”表示は消え、図５の（２）正常視聴中に移行する。
【００６２】
上記番号１０５の判定で受信感度が良好でなければ、受信感度が劣化しているか否かを判別する（番号１０９）。受信感度が劣化している場合はミュートを解除し（番号１１０）、ＴＶ表示部６３にＯＳＤ出力７３により“電波が届きにくくなっています”を表示し（番号１１１）、図６の（３）受信感度劣化からの遷移状態に移行する（番号１１２）。
【００６３】
上記番号１０９の判定で受信感度が劣化でなければ、受信感度が悪化であると判定し（番号１１３）、受信感度が劣化している場合はミュートを解除せずにＴＶ表示部６３にＯＳＤ出力７３により“圏外”を表示し（番号１１４）、図７の（４）圏外からの遷移状態に移行する（番号１１５）。
【００６４】
このように、ＴＶ本体３の電源ＯＮ後、“接続中”が表示され、受信感度が良好であれば“接続中”表示は消え、受信感度が良好でなければ“接続中”表示後に“電波が届きにくくなっています”又は“圏外”が表示される。したがって、ユーザは通信チャンネルを切り替える際、接続中であるか、受信状態が悪く映像が途絶えたのか、又は通信端末が通信チャンネルを変更したのかを容易に知ることができる。
（２）正常視聴中（受信感度良好）からの遷移
正常視聴状態にあるとき（番号２０１）、第２のＳＳ−ＣＰＵ８４により通信状態（電波の強弱、通信路の妨害）の情報が入力されると、受信感度の劣化を判別する（番号２０２）。受信感度が劣化している場合はＴＶ表示部６３にＯＳＤ出力７３により“電波が届きにくくなっています”を表示し（番号２０３）、図６の（３）受信感度劣化からの遷移状態に移行する（番号２０４）。
【００６５】
上記番号２０２の判定で受信感度が劣化でなければ、受信感度が悪化であるか否かを判別する（番号２０５）。受信感度が悪化している場合はミュートを行い（番号２０６）、ＴＶ表示部６３にＯＳＤ出力７３により“圏外”を表示し（番号２０７）、図７の（４）圏外からの遷移状態に移行する（番号２０８）。上記番号２０５の判定で受信感度が悪化していない場合は変化なしとして遷移はしない（番号２０９）。
（３）“電波が届きにくくなっています”（受信感度劣化）からの遷移
受信感度劣化状態にあるとき（番号３０１）、第２のＳＳ−ＣＰＵ８４からの通信状態の情報を基に受信感度が改善されたか否かを判別する（番号３０２）。受信感度が改善していれば“電波が届きにくくなっています”表示を消去し（番号３０３）、図５の（２）正常視聴中（受信感度良好）からの遷移状態に移行する（番号３０４）。
【００６６】
上記番号３０２の判定で受信感度が改善していなければ、受信感度が悪化であるか否かを判別する（番号３０５）。受信感度が悪化している場合はミュートを行い（番号３０６）、ＴＶ表示部６３にＯＳＤ出力７３により“電波が届きにくくなっています”から“圏外”に表示切換えを行い（番号３０７）、図７の（４）圏外からの遷移状態に移行する（番号３０８）。上記番号３０５の判定で受信感度が悪化していない場合は、所定時間（ここでは１０秒）経過したか否かを判別する（番号３０９）。１０秒経過すると“電波が届きにくくなっています”表示を消去する（番号３１０）。１０秒経過以外のときは、受信感度劣化状態が所定時間（ここでは１５分）経過したか否かを判別し（番号３１１）、１５分経過したときは通信が途絶えて所定時間が経過したと判断してＴＶ表示部６３にＯＳＤ出力７３により“電波が届きにくくなっています”を再表示する（番号３１２）。上記番号３１１の判定で１５分経過していないときは処理を行わない（番号３１３）。
（４）圏外からの遷移
“圏外”で受信感度劣化状態にあるとき（番号４０１）、第２のＳＳ−ＣＰＵ８４からの通信状態の情報を基に受信感度が改善されたか否かを判別する（番号４０２）。受信感度が改善していれば“電波が届きにくくなっています”から“接続中”に表示切換えを行い（番号４０３）、選局を行う（番号４０４）。選局の具体的動作については既に説明した。次いで、ミュートを解除し（番号４０５）、“接続中”を消去し（番号４０６）、図５の（２）正常視聴中（受信感度良好）の遷移状態に移行する（番号４０７）。
【００６７】
上記番号４０２の判定で受信感度が改善していない、又は劣化状態にあるときは処理を行わない（番号４０８）。このときは“圏外”表示が継続される。
【００６８】
上述した状態遷移を、複数の送受信機が存在する場合を例にとりさらに詳細に説明する。
【００６９】
図８は、複数の送受信機Ａ，Ｂ，Ｃのデータの送受信を示す図、図９は、複数の送受信機Ａ，Ｂ，Ｃの通信チャンネル使用例を説明する図である。
【００７０】
図８及び図９において、送信機Ａは、例えば上述した液晶ＴＶのワイヤレスセンタ２、受信機Ａは、ＴＶ本体３である。また、送信機Ｂ，Ｃは、ワイヤレスＡＶシステムの上述した液晶ＴＶ以外の機器のワイヤレスセンタ、受信機Ｂ，Ｃは、その携帯端末等である。
【００７１】
ワイヤレスＡＶシステムを実現するための技術として、例えば２０００年１月に標準化が完了したＨＡＶｉ（Home Audio/Video Interoperability）Architectureと呼ばれる標準仕様がある。この仕様は、HAVi V1.0 Specification版の概要部分（1 Generalの1.1 Scope）に記述されているように、家庭用電化製品やコンピュータを接続して、ユーザがある機器を使って別の機器を操作するためのインタフェースの提供を実現している。ＨＡＶｉ仕様書では、一例としてＩＥＥＥ１３９４とＩＥＣ（International Electrotechnical Commission）６１８８３準拠の家庭用電化製品によるネットワークの構築を想定している。また、同仕様書の同概要部分にあるように、ＨＡＶｉによって実現されたネットワークに接続されている機器をすべてのユーザが自由に使用できる。このように、家庭内にあるＡＶ機器を接続してＡＶネットワークを構築することにより、ユーザは離れた部屋にある機器であっても自由に組み合わせて使用できる。
【００７２】
また、このような家庭内ＡＶネットワークのほかに、送受信機Ａ，Ｂ，Ｃは、例えば無線通信を行う携帯電話機／ＰＨＳ（Personal Handy-Phone System）や携帯情報端末（以下、ＰＤＡ（Personal Digital Assistants）という）などの無線通信端末であってもよい。
【００７３】
一方、ワイヤレスＡＶシステムとして無線ＬＡＮやBluetooth、ＵＷＢ（Ultra Wide Band）が使用される。無線ＬＡＮは、無線ＬＡＮ機能を持つ携帯ノート型パソコン、ＰＤＡなどの携帯情報端末に幅広く用いられている。より低消費電力が要求される携帯電話機では、Bluetooth，ＵＷＢなどの小電力近距離双方向無線通信方式が注目されている。Bluetoothは、マスタ（サーバ）とスレーブ（クライアント）との間で近距離の双方向無線通信を行うシステムであり、地球上のどこでも機器間の通信を可能にするため、全世界で使える２．４ＧＨｚ周波数帯を使用する。現在の規格での通信速度は１Ｍｂｐｓであり、将来的には２Ｍｂｐｓへのバージョンアップを計画している。実質的なチャネルのレートは、３チャンネルまでの同期音声通信、または１チャンネルで音声とデータの同時通信が可能。非同期チャネルでは、７２１Ｋｂｐｓの双方向接続と５７．６Ｋｂｐｓの戻り方向接続、または４３２．６Ｋｂｐｓでの対称リンクをサポートしている。
【００７４】
図９は、本ワイヤレスＡＶシステムの通信チャンネル変更方法を説明する図である。本ワイヤレスＡＶシステムが、ＩＥＥＥ８０２．１１規格に準拠する場合、２．４００〜２．４８３ＧＨｚの２．４ＧＨｚ帯内に、チャンネル１からチャンネル１４までの１４チャンネルの周波数が割り当てられているものの、同一エリア内で同時に複数のチャンネルを設定する場合には、隣り合うチャンネルの周波数間隔を２５ＭＨｚ以上とすることが定められている。これは、送受信される高周波信号が、変調された一定の帯域を有するものであるため、隣り合うチャンネルの周波数が近接していると、それぞれのチャンネルの信号が互いに相手方に対して妨害電波となるからである。そのため、同一エリア内で同時に設定可能なチャンネル数は、図９に示すようにチャンネルＡ，Ｂ，Ｃ（チャンネルＣは図示略）として示すように最大で３チャンネルに限られ、上記のように住宅が密集する地域内や部屋が近接する建物内で、住宅や部屋ごとに無線ＬＡＮシステムを構築しようとすると、チャンネル不足を生じてしまう。
【００７５】
したがって、無線ネットワークにおいて、送信機、受信機がある特定の周波数（通信チャンネル）通信している場合、同じ通信チャンネルを別の送信機、受信機のペアが使用する場合、後から通信チャンネルを使用する機器は、空いている通信チャンネルに変更する必要がある。
【００７６】
図９の例では、チャンネルＡを使って送信機Ａが受信機Ａにパケット通信を行っている。このとき、送信機Ｂが通信を行おうとする場合、送信機ＡがチャンネルＡを使っているので、送信機ＢはチャンネルＡ以外のチャンネルであるチャンネルＢを使って受信機Ｂとパケット通信を行うことになる。ここで、さらに送信機Ｃが通信を行おうとする場合、送信機ＡがチャンネルＡを、送信機ＢがチャンネルＢを使っているのでチャンネルＡ，Ｂ以外のチャンネルＣを使って通信を行うことになる。
【００７７】
ところが、送信機Ｃからみて他の送信機（例えば、送信機Ａ）がパケット通信を行っているか否かは容易に判定できない場合がある。すなわち、送信機Ａにおいて何らかの理由でストリームが伝送されていないとき（例えば、停止ボタンを押して映像停止中）、送信機ＣがこれをチャンネルＡの空きと判断して送信機Ｃが勝手にチャンネルＡを使い始めると、送信機Ａが通信を再び行う場合、チャンネルＡは送信機Ｃによって使用されてしまっているため、送信機Ａは新たなチャンネルを探しに行かなければならない。チャンネルの切り替えには初期化等の処理も入るため３秒程度要することがある。
【００７８】
本来、チャンネル変更中はストリームも途絶えている状態である。そこで、本実施の形態では、図４乃至図７で詳述したように、通信チャンネルを切り替える際などで通信状態が途絶えたとき、映像が途絶えたのか、送受信機が通信チャンネルを変更したのかを、“接続中”“チャンネルを探しています”“電波が届きにくくなっています”“圏外”などのメッセージ（表示によるメッセージ、音声によるメッセージ、その組み合わせのいずれでもよい）でユーザに知らせることにより、ユーザに違和感を生じさせないようにすることができる。
【００７９】
さらに、本実施の態様では、あるチャンネルにおいて通信が途絶えた時間を計測し、通信が途絶えた時間が所定の設定タイムアウト時間内のときはそのチャンネルは使用中であると判断する制御を行う。この制御は、送受信機の制御部が行うもので、例えば、図１乃至図３に示すワイヤレスＡＶシステムの場合には、ワイヤレスセンタマイコン３７及び／又はＴＶマイコン６４が実行する。
【００８０】
図９の例では、チャンネルＡを使って送信機Ａが受信機Ａにパケット通信を行っているとき、送信機Ｂが通信を行おうとする場合、送信機ＡがチャンネルＡを使っているので、送信機ＢはチャンネルＡ以外のチャンネルであるチャンネルＢを使って受信機Ｂとパケット通信を行うことになる。ここで、図９に示す時点で、さらに送信機Ｃが通信を行おうとする場合、送信機Ａのパケット通信及び送信機Ｂのパケット通信は途絶えているものの、いずれも設定タイムアウト時間内であるためチャンネルＡ及びチャンネルＢはいずれも使用中と判断され、チャンネルＡ又はチャンネルＢが送信機Ｃによって使用されることはない。これにより、チャンネルが頻繁に切り替えられることが未然に防止でき、ネットワーク全体で最適な通信状態を維持することができる。
【００８１】
以上説明したように、本実施の形態に係るワイヤレスＡＶシステム１は、ベース機器としてのワイヤレスセンタ２と、ＴＶ本体３とから構成され、ＴＶ本体３は、ワイヤレスセンタ２のＳＳ送信ユニット３６から送信されたＭＰＥＧ２ストリームやコマンド伝送データを受信するとともに、受信したＭＰＥＧ２ストリームなどをデコードするＳＳ受信ユニット６１と、映像信号を表示し音声信号を出力するＴＶ表示部６３と、装置全体の制御を行うＴＶマイコン６４と、受信電波の電界強度、エラー率に基づく再送要求によりワイヤレスセンタ２とＴＶ本体３間の通信状態を検出する第２のＳＳ−ＣＰＵ８４とを備え、ＴＶマイコン６４は、検出された通信状態に基づいて、映像及び音声データが途絶えていること、通信チャンネル変更中であること、接続中であること、通信圏外を含む受信感度情報の各メッセージをＴＶ表示部６３にＯＳＤ表示するので、通信チャンネルを切り替える際や電波状態が不良で通信状態が途絶えた場合であっても、伝送状況を知らせる適切なメッセージが表示されることになり、ユーザは映像が途絶えたのか通信端末が通信チャンネルを変更したのか、あるいは電子レンジ使用などの妨害電波により通信状態が悪くなったのかを容易に知ることができ、ユーザの違和感を解消することができる。例えば、映像が表示されなくてもＯＳＤ表示により「接続中」等のメッセージが表示されるため、ユーザは映像が表示されない理由を直感的に理解して映像が表示されるまで待つことができ、映像が表示されない状態を回避するための無駄なチャンネル操作を未然に防止することができる。ユーザの無駄なチャンネル操作等を回避することでより一層、映像表示までの時間を短縮することができる。
【００８２】
本実施の形態では、図７の（４）圏外からの遷移で述べたように、通信状態に応じてメッセージの内容を変えているのでユーザは通信状態の推移を身近に知ることができる。これらのメッセージは一例であり、どのような内容のものをどのようなステップで知らせてもよい。例えば、通信状態の悪化又は回復が見込める場合には、映像表示がなされるまでの概略の時間やその時間を示すイメージキャラクタで知らせるようにすればより分りやすい。
【００８３】
また、受信状態が悪化しつつあるときに、ユーザにその次の行動指針（例えば、「受信状態が悪くなりつつあります。電波の届き易い場所に移動してください。」や「急に受信状態が悪くなりました。電子レンジ等の障害物から離れてください。」など）を表示／音声によりアナウンスするようにすればより親切なシステムとなる。
【００８４】
本実施の形態では、映像及び音声データ等の伝送状況を知らせるメッセージをＴＶ表示部６３にＯＳＤ表示することにより、映像及び音声データ等の伝送状況のメッセージを知らせるようにしているが、音声合成ＬＳＩを用いて音声により報知してもよく、あるいは組み合わせて報知してもよい。また、ＯＳＤ表示に限らずどのような表示方法でもよい。
【００８５】
さらに、本実施の形態では、通信が途絶えた時間を計測し、該通信が途絶えてから所定の設定時間が経過するまでは通信チャンネルを保持するので、チャンネルが頻繁に切り替えられてしまうことを防止することができ、ネットワーク全体で最適な通信状態を維持することができる。
【００８６】
なお、本発明の無線通信装置及びワイヤレスＡＶシステムは、上述の実施の形態に限定されるものではなく、本発明の要旨を逸脱しない範囲内において種々変更を加え得ることは勿論である。例えば、ワイヤレスＡＶ機器として携帯ＴＶとしているが、ＴＶ受信機に限らず無線通信機能を持った又はその融合された装置に適用可能である。例えば、ＡＶ機器として、ＶＴＲ（Video Tape Recorder）のほか、ＨＤＤやＤＶＤに記録する記録再生装置でもよい。また、データ送受信のできる装置として、パソコンに代表される情報機器機能に融合された装置であってもよく、全てのシステムに適用可能である。また、送受信データの内容はどのようなものであってもよい。
【００８７】
また、本実施の形態では、ＴＶ受信機で説明したが、これに限定されるものではなく、前述のように、チューナとパソコンや、チューナを使用する他のＡＶ機器にも応用できる。
【００８８】
また、上記無線通信装置及びワイヤレスＡＶシステムを構成する各処理部等の種類、設定情報の種類・形式などは前述した実施形態に限られない。特に、ＨＡＶｉに準拠する機器に適用して好適である。
【００８９】
また、チューナとして、ＢＳチューナとＵ／Ｖチューナの２つの放送を例に挙げているが、ＣＳチューナなど放送の種類や数はこれに限定されるものではない。
【００９０】
また、本実施の形態では無線通信装置及びワイヤレスＡＶシステムという名称を用いたが、これは説明の便宜上であり、無線通信機器、ＡＶ機器、放送局選局装置等であってもよい。
【００９１】
以上説明した無線通信装置及びワイヤレスＡＶシステムは、この無線通信装置及びワイヤレスＡＶシステムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００９２】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００９３】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【００９４】
【図１】本発明の実施の形態の無線通信装置及びワイヤレスＡＶシステムの構成を示すブロック図である。
【図２】本実施の形態の無線通信装置及びワイヤレスＡＶシステムのワイヤレスセンタの構成を示すブロック図である。
【図３】本実施の形態の無線通信装置及びワイヤレスＡＶシステムのＴＶ本体の構成を示すブロック図である。
【図４】本実施の形態の無線通信装置及びワイヤレスＡＶシステムの通信チャンネル変更方法を説明するための状態遷移を示す図である。
【図５】本実施の形態の無線通信装置及びワイヤレスＡＶシステムの通信チャンネル変更方法を説明するための状態遷移を示す図である。
【図６】本実施の形態の無線通信装置及びワイヤレスＡＶシステムの通信チャンネル変更方法を説明するための状態遷移を示す図である。
【図７】本実施の形態の無線通信装置及びワイヤレスＡＶシステムの通信チャンネル変更方法を説明するための状態遷移を示す図である。
【図８】本実施の形態の無線通信装置及びワイヤレスＡＶシステムの複数の送受信機Ａ，Ｂ，Ｃのデータの送受信を示す図である。
【図９】本実施の形態の無線通信装置及びワイヤレスＡＶシステムの複数の送受信機Ａ，Ｂ，Ｃの通信チャンネル使用例を説明する図である。
【符号の説明】
【００９５】
１  ワイヤレスＡＶシステム
２  ワイヤレスセンタユニット（ワイヤレスセンタ）（無線通信装置，センタ装置）
３  テレビジョン本体ユニット（ＴＶ本体）（無線通信装置，表示装置）
１１  ＢＳ端子
１２  Ｕ／ＶＨＦアンテナ端子
１３  ダイバーシティ端子
１４  Ｓ端子付きビデオ１入力端子
１５  デコーダ入力／ビデオ２入力端子
１６  モニタ／ＢＳ出力／ビデオ３入力端子
１７  ＡＣ電源部
１８  Ｃａｒ−ＤＣ電源部
２１  ＴＶ出力／ビデオ４入力端子
２２  ＡＣ電源部
２３  Ｃａｒ−ＤＣ電源部
３１  ＢＳチューナ
３２  Ｕ／ＶＨＦチューナ
３３  映像・音声復調部
３４  音声切換部
３５  第１のセレクタ
３６  ＳＳ送信ユニット（通信手段）
３７  ワイヤレスセンタマイクロコンピュータ（ワイヤレスセンタマイコン）
３８，６５  ＥＥＰＲＯＭ
５１  Ａ／Ｄ変換部
５２  ＭＰＥＧ２エンコーダ
５３  ＳＳ無線送信エンジン
５４  ＳＳ−ＣＰＵ
６１  ＳＳ受信ユニット（通信手段）
６２  第２のセレクタ
６３  ＴＶ表示部（報知手段の一部）
６４  ＴＶマイコン（報知手段の一部）
６６  リモコン受光部
６７  バッテリ
６８  バッテリチャージャマイコン
８１  ＳＳ無線受信エンジン
８２  ＭＰＥＧ２デコーダ
８３  Ｄ／Ａ変換部
８４  第２のＳＳ−ＣＰＵ（通信状態検出手段）
【図１】
2004320762.tif 000003
【図２】
2004320762.tif 000004
【図３】
2004320762.tif 000005
【図４】
2004320762.tif 000006
【図５】
2004320762.tif 000007
【図６】
2004320762.tif 000008
【図７】
2004320762.tif 000009
【図８】
2004320762.tif 000010
【図９】
2004320762.tif 000011